(57)【要約】【課題】ＩＰ電話システムの構成の変更に伴ってシステムの設定を行う場合、サービス業者による設定を回避する。【解決手段】ＩＰセントレックス１に収容される親ＩＰ電話機４と、親ＩＰ電話機４に接続される子ＩＰ電話機５とからなる親子ＩＰ電話装置を設け、親ＩＰ電話機４に、予めＩＰセントレックス１に設定されているこのＩＰセントレックスの内線を識別するためのＩＰアドレス及び内線番号に対応して、親ＩＰ電話機４及び子ＩＰ電話機５の各ローカルＩＰアドレス及び内線番号が設定可能な変換テーブル４３を設ける。【選択図】  図４
2006287540.tif 000002
【特許請求の範囲】
【請求項１】
ＩＰセントレックスに収容される親ＩＰ電話装置と、前記親ＩＰ電話装置に接続される子ＩＰ電話装置とからなる親子ＩＰ電話装置であって、
前記親ＩＰ電話装置は、
予め前記ＩＰセントレックスに設定されている前記ＩＰセントレックスの内線を識別するための第１の識別情報に対応して、前記親ＩＰ電話装置及び子ＩＰ電話装置の各識別情報が第２の識別情報として設定可能な変換テーブルと、
前記ＩＰセントレックスから提供されるサービスを前記変換テーブルの設定情報に基づいて前記親ＩＰ電話装置及び子ＩＰ電話装置に提供する制御部と
を備えることを特徴とする親子ＩＰ電話装置。
【請求項２】
請求項１において、
前記制御部は、
前記ＩＰセントレックスの配下の内線を示す第１内線の制御機能を有する第１内線制御部と、
前記親ＩＰ電話装置の配下の内線を示す第２内線の制御機能を有する第２内線制御部と
を有し、
前記第１内線制御部は、前記ＩＰセントレックスからの前記第１の識別情報を含むサービス情報を受信すると、この受信情報を前記第２内線制御部に通知する一方、前記第２内線制御部から通知される、親ＩＰ電話装置又は子ＩＰ電話装置の何れかのＩＰ電話装置からの前記第２の識別情報を含むサービス要求情報を受信すると、このサービス要求情報に含まれる前記第２の識別情報を前記変換テーブルの設定情報に基づいて前記第１の識別情報に変換し第１の識別情報を含むサービス要求情報として前記ＩＰセントレックスに通知し、
前記第２内線制御部は、親ＩＰ電話装置又は子ＩＰ電話装置の何れかのＩＰ電話装置からの前記第２の識別情報を含むサービス要求情報を受信すると、この受信情報を前記第１内線制御部に通知する一方、前記第１内線制御部から通知される、前記ＩＰセントレックスからの前記第１の識別情報を含むサービス情報を受信すると、このサービス情報に含まれる前記第１の識別情報を前記変換テーブルの設定情報に基づいて前記第２の識別情報に変換し、変換した第２の識別情報に応じた親ＩＰ電話装置又は子ＩＰ電話装置の何れかに前記サービス情報に応じたサービスを提供することを特徴とする親子ＩＰ電話装置。
【請求項３】
請求項２において、
前記第１の識別情報は、前記ＩＰセントレックスに予め設定されたＩＰアドレス及び内線番号であり、前記第２の識別情報は、前記親ＩＰ電話装置及び子ＩＰ電話装置のそれぞれのローカルＩＰアドレス及び内線番号であることを特徴とする親子ＩＰ電話装置。
【発明の詳細な説明】
【技術分野】
【０００１】
本発明は、ＩＰセントレックスに接続される親子ＩＰ電話装置に関する。
【背景技術】
【０００２】
近年、ユーザに対しＩＰ網経由でＰＢＸ機能を提供するＩＰセントレックスサービスが急速に普及し始めている。ユーザは、このようなＩＰ−ＰＢＸサービス機能を有するＩＰセントレックス（ＩＰ−ＰＢＸ：ＩＰセントレックスサーバ）にＩＰ電話機を接続するだけで、内線通話は無料となり、また、外線通話においても通常のＩＰ電話と同じ料金体系となるなど、通話料の面でコストダウンを図ることができる。また、オフィス内設備がシンプルになるなどの利点も有している。
【０００３】
図５はこのようなＩＰ電話システムの構成を示す図であり、図示しないＩＰ網に収容されるＩＰセントレックス１と、中継ノードであるハブ２と、ＩＰ電話機３Ａ１〜３Ａ３，３Ｂ１〜３Ｂ３とから構成され、内線電話機である各ＩＰ電話機３Ａ１〜３Ａ３，３Ｂ１〜３Ｂ３はハブ２を介してＩＰセントレックス１に接続される。
【０００４】
ここで、前記ＩＰセントレックス１では、サービスの開始に先立ってサービス業者が顧客の要求に合わせて例えば内線電話機としての各ＩＰ電話機３の内線番号やそのＩＰアドレスなどを設定する（非特許文献１）。そして、以降、その設定情報にしたがってＩＰセントレックス１からＩＰ電話機３側へサービスが提供される。すなわち、ＩＰセントレックス１と各ＩＰ電話機３との間では上記設定情報にしたがった通信が行われ、これにより、ＩＰ電話機３のＩＰセントレックス１を介する内線通話や、ＩＰ電話機３のＩＰセントレックス１及びＩＰ網を介する外線通話などのサービスが提供される。
【０００５】
また、サービス業者の設定により、例えば図５に示すような、ＩＰ電話機３Ａ１〜３ＡをグループＡとし、ＩＰ電話機３Ｂ１〜３Ｂ３をグループＢとする、グループ分けを行うこともできる。このようにグループ分けされた場合は、或る回線の着信時にはグループＡに属するＩＰ電話機３Ａ１〜３Ａ３が着信鳴動し、他の回線の着信時にはグループＢに属するＩＰ電話機３Ｂ１〜３Ｂ３が着信鳴動する。
【０００６】
【非特許文献１】http://www.ntt-me.co.jp/ipcentrex/service.html
【発明の開示】
【発明が解決しようとする課題】
【０００７】
このようなＩＰ電話システムは、前述したようにオフィス内設備がシンプルになるなどの利点を有している。しかしながら、サービス業者の上記設定に対して、ＩＰ電話機の内線番号の変更など、システムのわずかな構成の変更時などにも逐一サービス業者に届け出てサービス業者によりＩＰセントレックスに、その変更に応じた設定をして貰わなければならないという問題がある。
【０００８】
したがって、本発明は、ＩＰ電話システムの構成の変更に伴ってシステムの設定を行う場合、サービス業者による設定を回避することを目的とする。
【課題を解決するための手段】
【０００９】
このような課題を解決するために本発明は、ＩＰセントレックスに収容される親ＩＰ電話装置と、親ＩＰ電話装置に接続される子ＩＰ電話装置とからなる親子ＩＰ電話装置であって、親ＩＰ電話装置は、予めＩＰセントレックスに設定されているこのＩＰセントレックスの内線を識別するための第１の識別情報に対応して、親ＩＰ電話装置及び子ＩＰ電話装置の各識別情報が第２の識別情報として設定可能な変換テーブルと、ＩＰセントレックスから提供されるサービスを変換テーブルの設定情報に基づいて親ＩＰ電話装置及び子ＩＰ電話装置に提供する制御部とを備えるものである。
【００１０】
この場合、制御部は、ＩＰセントレックスの配下の内線を示す第１内線の制御機能を有する第１内線制御部と、親ＩＰ電話装置の配下の内線を示す第２内線の制御機能を有する第２内線制御部とを有し、第１内線制御部は、ＩＰセントレックスからの第１の識別情報を含むサービス情報を受信すると、この受信情報を第２内線制御部に通知する一方、第２内線制御部から通知される、親ＩＰ電話装置又は子ＩＰ電話装置の何れかのＩＰ電話装置からの第２の識別情報を含むサービス要求情報を受信すると、このサービス要求情報に含まれる第２の識別情報を変換テーブルの設定情報に基づいて第１の識別情報に変換し第１の識別情報を含むサービス要求情報としてＩＰセントレックスに通知し、第２内線制御部は、親ＩＰ電話装置又は子ＩＰ電話装置の何れかのＩＰ電話装置からの第２の識別情報を含むサービス要求情報を受信すると、この受信情報を第１内線制御部に通知する一方、第１内線制御部から通知される、ＩＰセントレックスからの第１の識別情報を含むサービス情報を受信すると、このサービス情報に含まれる第１の識別情報を変換テーブルの設定情報に基づいて第２の識別情報に変換し、変換した第２の識別情報に応じた親ＩＰ電話装置又は子ＩＰ電話装置の何れかに前記サービス情報に応じたサービスを提供することを特徴とするものである。
【００１１】
ここで、第１の識別情報は、ＩＰセントレックスに予め設定されたＩＰアドレス及び内線番号であり、第２の識別情報は、親ＩＰ電話装置及び子ＩＰ電話装置のそれぞれのローカルＩＰアドレス及び内線番号である。
【発明の効果】
【００１２】
本発明によれば、ＩＰセントレックスに収容される親ＩＰ電話装置と、親ＩＰ電話装置に接続される子ＩＰ電話装置とからなる親子ＩＰ電話装置を設け、親ＩＰ電話装置に、予めＩＰセントレックスに設定されているこのＩＰセントレックスの内線を識別するための第１の識別情報に対応して、親ＩＰ電話装置及び子ＩＰ電話装置の各識別情報が第２の識別情報として設定可能な変換テーブルを設けるようにしたので、ＩＰ電話システムの構成の変更に伴ってシステムの設定を行う場合、ＩＰセントレックスの設定を変えずに、ユーザ側で親ＩＰ電話装置に設けた変換テーブルの設定情報を変えるだけで良く、したがって、サービス業者によるＩＰセントレックスの設定を回避することができる。
【発明を実施するための最良の形態】
【００１３】
以下、本発明について図面を参照して説明する。
図１は本発明の親子ＩＰ電話装置を適用したＩＰ電話システムの構成を示すブロック図である。本システムは、図１に示すように、図示しないＩＰ網に収容されるＩＰセントレックス１と、中継ノードであるハブ２と、ハブ２に接続される親ＩＰ電話機４Ａ，４Ｂと、親ＩＰ電話機４Ａに接続される子ＩＰ電話機５Ａ１，５Ａ２と、親ＩＰ電話機４Ｂに接続される子ＩＰ電話機５Ｂ１〜５Ｂ３とから構成される。
【００１４】
ここで、このシステムでは、親ＩＰ電話機４Ａと子ＩＰ電話機５Ａ１，５Ａ２の３台のＩＰ電話機によりグループＡが構成されているとともに、親ＩＰ電話機４Ｂと子ＩＰ電話機５Ｂ１〜５Ｂ３の４台のＩＰ電話機によりグループＢが構成されている。
【００１５】
図１に示す、親ＩＰ電話機４Ａと子ＩＰ電話機５Ａ１，５Ａ２の３台のＩＰ電話機により構成されるグループＡという構成情報、及び、親ＩＰ電話機４Ｂと子ＩＰ電話機５Ｂ１〜５Ｂ３の４台のＩＰ電話機により構成されるグループＢという構成情報は、本システムがサービス開始当初にサービス業者によってＩＰセントレックス１に設定されたものである。また、このときグループＡに属する３台のＩＰ電話機の内線番号とＩＰアドレス、及び、グループＢに属する４台のＩＰ電話機の内線番号とＩＰアドレスが同様にサービス業者によりＩＰセントレックス１に設定されている。
【００１６】
ここで、当初のグループに属する３台のＩＰ電話機に対し、さらにそのグループに新たなＩＰ電話機を加えるようなシステムの変更が生じた場合を考慮して、図１では、そのグループを、１台の親ＩＰ電話機４と、その親ＩＰ電話機４の配下に接続される複数の子ＩＰ電話機５とから構成されるようにしている。
【００１７】
図２は、図１に示す親ＩＰ電話機４Ａを含むグループＡの構成を模式的に示した図である。図２を用いて親子ＩＰ電話装置の構成をさらに具体的に説明する。
前述したように、グループＡという構成情報は、本システムがサービス開始当初にサービス業者によりＩＰセントレックス１に設定されたものであり、このときそのグループＡに属する３台のＩＰ電話機の内線番号としてそれぞれ、例えば、「501」、「502」、「503」がＩＰセントレックス１に設定され、また、前記グループＡに属する３台のＩＰ電話機のＩＰアドレスとしてそれぞれ、例えば、「AAAA」、「AAAB」、「AABA」がＩＰセントレックス１に設定されているものとする。
【００１８】
ここで、当初のグループＡに属する３台のＩＰ電話機に対し、さらにそのグループＡに新たなＩＰ電話機を加えるようなシステムの変更が生じた場合を考慮して、図２では、グループＡに、１台の親ＩＰ電話機４Ａを設けてこの親ＩＰ電話機４ＡがＩＰセントレックス１に接続されるように構成するとともに、その親ＩＰ電話機４Ａの配下に複数の子ＩＰ電話機５Ａ１〜５Ａ５が接続されるように構成する。
【００１９】
そして、親ＩＰ電話機４Ａに後述の図３に示す変換テーブル４３を設け、その変換テーブル４３に、ＩＰセントレックス１に設定されている、ＩＰセントレックス１の配下の内線（第１内線）としての前記ＩＰアドレス及び内線番号に対応して、親ＩＰ電話機４Ａの配下の内線（第２内線）として、この親ＩＰ電話機４ＡのローカルＩＰアドレス及び内線番号を含む子ＩＰ電話機５Ａ１〜５Ａ５の各ローカルＩＰアドレス及び内線番号などをユーザ側で設定できるようにする。
【００２０】
このように構成することにより、親ＩＰ電話機４Ａでは、ＩＰセントレックス１に対して、内線番号「501」、「502」、「503」の３台分のＩＰ電話機に相当する通信が行われるとともに、その親ＩＰ電話機４Ａ自身を含めた各子ＩＰ電話機５に対しては前記変換テーブル４３の設定情報にしたがって着信呼などの呼が分配される。ここで、親ＩＰ電話機４の変換テーブル４３の設定情報は、前述したようにユーザ側で自在に設定変更できるため、例えば内線の構成を変更するときなど、システムの構成を変更する場合にサービス業者によるその変更に対応したシステムの設定を回避することができる。
【００２１】
図４は、親機ＩＰ電話装置の要部構成を示すブロック図であり、親ＩＰ電話機４の構成を示すものである。
親ＩＰ電話機４には、図４に示すように、ＣＰＵやＲＯＭ、ＲＡＭなどからなる制御部４０と、ユーザ側で各種の設定を行うことができるユーザインタフェース４７と、音声信号の符号化・復号化を行うコーディック４８と、回線キーやダイヤルキー等のキー４９と、ＬＣＤ５０と、ＬＥＤ５１とが設けられている。また、前記コーディック４８には、通話を行うためのマイク５２，スピーカ５３及びハンドセット５４が接続されている。なお、コーディック４８、キー４９、ＬＣＤ５０、ＬＥＤ５１、マイク５２、スピーカ５３、ハンドセット５４などは、通話に必須のもので当然子ＩＰ電話機５にも設けられている。
【００２２】
前記制御部４０には、図４に示すように、第１内線終端部４１と、第１内線制御部４２と、前述した変換テーブルである第１・第２内線変換テーブル４３と、第２内線制御部４４と、第２内線終端部４５と、ユーザによるユーザインタフェース４７からの設定情報を入力して変換テーブル４３に設定する設定部４６とが設けられている。そして、ＩＰセントレックス１の配下の内線としてのプロトコル終端機能を有する前記第１内線終端部４１は、コネクタＣＮ１及びハブ２を介してＩＰセントレックス１に接続され、親ＩＰ電話機４の配下の内線としてのプロトコル終端機能を有する第２内線終端部４５は、コネクタＣＮ２を介して各子ＩＰ電話機５Ａ１〜５Ａｎに接続される。
【００２３】
ここで、ＩＰセントレックス１は、SIP（Session Initiation Protocol）プロトコルを有しており、ＩＰセントレックス１に接続される制御部４０の前記第１内線終端部４１は、このSIPプロトコルを終端する機能を有する。また、親ＩＰ電話機４の配下の内線としてのプロトコル終端機能を有する第２内線終端部４５は、SIPプロトコル又はTCP/IPプロトコルを終端する機能を有する。
【００２４】
ＩＰセントレックス１の配下の内線（第１内線）の制御機能を有する第１内線制御部４２は、第１内線終端部４１から通知された、ＩＰセントレックス１側からの例えば、ＩＰアドレス及び内線番号を含む着信情報を受信するとその情報を第２内線制御部４４に通知して、第２内線制御部４４に、変換テーブル４３の設定情報に応じた変換を行わせ、該当の子ＩＰ電話機５に着信情報を報知させる一方、第２内線制御部４４から通知された、子ＩＰ電話機５からの例えば、ＩＰアドレス及び内線番号を含む発信要求情報を受信すると、変換テーブル４３の設定情報を参照してその設定に応じたＩＰアドレス及び内線番号に変換して第１内線終端部４１に通知し、第１内線終端部４１のSIPプロトコルによりそのＩＰアドレス及び内線番号を含む発信要求情報をＩＰセントレックス１に送信させる機能を有する。
【００２５】
また、親ＩＰ電話機４の配下の内線（第２内線）の制御機能を有する第２内線制御部４４は、第２内線終端部４５から通知された、子ＩＰ電話機５からの例えば、ＩＰアドレス及び内線番号を含む発信要求情報を受信すると、その情報を第１内線制御部４２に通知して、第１内線制御部４２に、そのＩＰアドレス及び内線番号を変換テーブル４３の設定情報に応じて変換させ、その変換情報を含む発信要求情報をＩＰセントレックス１側に送信させるとともに、第１内線制御部４２から通知された、ＩＰセントレックス１側からの例えば、ＩＰアドレス及び内線番号を含む着信情報を受信すると、そのＩＰアドレス及び内線番号を変換テーブル４３の設定情報に応じて変換し、その変換情報を含む着信情報を第２内線終端部４５に通知して、第２内線終端部４５のプロトコルにより該当子ＩＰ電話機５にその着信情報を送信させる機能を有する。
【００２６】
図３は、親ＩＰ電話機４に設けられた変換テーブル４３の設定情報を示す図である。この変換テーブル４３の設定情報は、前述したようにユーザが設定できるものである。
図３の例では、ＩＰセントレックス１に設定されている、ＩＰセントレックス１の配下の１つの内線に相当するＩＰアドレス「AAAA」及び内線番号「501」に対応して、２台のＩＰ電話機が割り当てられた例であり、このうち、１台のＩＰ電話機は親ＩＰ電話機４であって、ローカルＩＰアドレス「XXXX」、内線番号「200」が設定され、もう１台のＩＰ電話機は子ＩＰ電話機５Ａ１であって、ローカルＩＰアドレス「XXXY」、内線番号「201」が設定されている。
【００２７】
また、ＩＰセントレックス１に設定されている、ＩＰセントレックス１の配下のもう１つの内線に相当するＩＰアドレス「AAAB」及び内線番号「502」に対応して、２台のＩＰ電話機が割り当てられ、このうち、１台のＩＰ電話機は子ＩＰ電話機５Ａ２であって、ローカルＩＰアドレス「XXYX」、内線番号「202」が設定され、もう１台のＩＰ電話機は子ＩＰ電話機５Ａ３であって、ローカルＩＰアドレス「XXYY」、内線番号「203」が設定されている。
【００２８】
さらに、ＩＰセントレックス１に設定されている、ＩＰセントレックス１の配下のもう１つの内線に相当するＩＰアドレス「AABA」及び内線番号「503」に対応して、２台のＩＰ電話機が割り当てられ、このうち、１台のＩＰ電話機は子ＩＰ電話機５Ａ４であって、ローカルＩＰアドレス「XXYZ」、内線番号「204」が設定され、もう１台のＩＰ電話機は子ＩＰ電話機５Ａ５であって、ローカルＩＰアドレス「XXZY」、内線番号「205」が設定されている。
なお、上記変換テーブル４３には、親ＩＰ電話機４や子ＩＰ電話機５Ａ１〜５Ａ５のそれぞれのローカルＩＰアドレス及び内線番号に対応して、図３に示すような、そのＩＰ電話機が属するグループ番号「１」又は「２」が設定可能であり、さらにそのＩＰ電話機への個別着信の可否を示す「可」、「不可」が設定可能である。
【００２９】
以上のように構成された親ＩＰ電話機４の動作を図３及び図４を用いて説明する。
（着信時の動作）
まず、親ＩＰ電話機４の着信時における動作から説明する。
ＩＰ網を介してＩＰセントレックス１に着信が到来し、ＩＰセントレックス１がその着信を、自身の配下の内線ＩＰ電話機である、例えばＩＰアドレスが「AAAA」、内線番号が「501」のＩＰ電話機に伝達する場合は、SIPプロトコルを実行することにより、ＩＰアドレス「AAAA」、内線番号「501」を含む着信情報を通知する。
【００３０】
この着信情報は、ハブ２を介して、親ＩＰ電話機４の制御部４０内の第１内線終端部４１に伝達され、さらに第１内線終端部においてSIPプロトコルが実行されることにより受信され、第１内線制御部４２に通知される。第１内線制御部４２は、第１内線終端部４１から通知された、ＩＰセントレックス１側からのＩＰアドレス「AAAA」及び内線番号「501」を含む着信情報を受信すると、その情報を第２内線制御部４４に通知する。
【００３１】
第２内線制御部４４は、第１内線制御部４２から通知された、ＩＰアドレス「AAAA」及び内線番号「501」を含む着信情報を受信すると、変換テーブル４３の設定情報をもとにそのＩＰアドレス及び内線番号を変換する。ここで、図３の変換テーブル４３に従うと、このＩＰアドレス「AAAA」及び内線番号「501」は、ローカルＩＰアドレス「XXXX」及び内線番号「200」に変換されるとともに、ローカルＩＰアドレス「XXXY」及び内線番号「201」に変換される。
【００３２】
そして、変換されたローカルＩＰアドレス「XXXX」及び内線番号「200」は親ＩＰ電話機４自身のローカルＩＰアドレス及び内線番号であることから、第２内線制御部４４は、親ＩＰ電話機４の図示しないブザーを着信鳴動させるとともに、ＬＥＤ５１を着信表示する。また、変換されたローカルＩＰアドレス「XXXY」及び内線番号「201」は子ＩＰ電話機５Ａ１のローカルＩＰアドレス及び内線番号であることから、第２内線制御部４４は、その変換されたローカルＩＰアドレス「XXXY」及び内線番号「201」を含む着信情報を第２内線終端部４５に通知する。第２内線終端部４５は着信情報が通知されると、SIPプロトコル又はTCP/IPプロトコルを実行することにより、その着信情報に含まれるローカルＩＰアドレス「XXXY」及び内線番号「201」を有する子ＩＰ電話機５Ａ１に着信を報知し、その子ＩＰ電話機５Ａ１のブザーを着信鳴動させるとともにＬＥＤを着信表示させる。
【００３３】
そして、親ＩＰ電話機４又は子ＩＰ電話機５Ａ１の何れかが着信応答操作を行うと、ＩＰアドレス「AAAA」及び内線番号「501」を有するＩＰ電話機の操作情報としてＩＰセントレックス１側に送信され、ＩＰセントレックス１側の制御により、着信応答ＩＰ電話機と発信側電話機との間で通話が開始される。
【００３４】
（発信時の動作）
次に、親ＩＰ電話機４の発信時の動作について説明する。
例えば、親ＩＰ電話機４においてオフフックし、回線キー及びダイヤルキーが操作されると、第２内線制御部４４は、これらの発信操作情報を検出する。この場合、第２内線制御部４４は、この発信操作は親ＩＰ電話機４で行われたものと判断して、親ＩＰ電話機４のローカルＩＰアドレス「XXXX」及び内線番号「200」を含む発信要求情報として、第１内線制御部４２へ通知する。
【００３５】
第１内線制御部４２は、第２内線制御部４４から通知された、ローカルＩＰアドレス「XXXX」及び内線番号「200」を含む発信要求情報を受信すると、変換テーブル４３の設定情報にしたがい、そのローカルＩＰアドレス「XXXX」及び内線番号「200」を、ＩＰアドレス「AAAA」及び内線番号「501」に変換し、その変換情報を含む発信要求情報を第１内線終端部４１に通知する。第１内線終端部４１は、SIPプロトコルを実行することにより、ＩＰアドレス「AAAA」及び内線番号「501」を含む発信要求情報をＩＰセントレックス１側に送信し、ＩＰセントレックス１に対し前記発信要求情報で示される相手端末への発信を行わせる。このような発信に対して相手端末側が応答すると、親ＩＰ電話機４と相手端末間でＩＰセントレックス１及びＩＰ網を介した通話が開始される。
【００３６】
また、例えば、子ＩＰ電話機５Ａ１においてオフフックし、回線キー及びダイヤルキーが操作されると、子ＩＰ電話機５Ａ１側でのSIPプロトコル又はTCP/IPプロトコルの実行により、その子ＩＰ電話機５Ａ１のローカルＩＰアドレス「XXXY」及び内線番号「201」を含む発信要求情報が親ＩＰ電話機４側に伝達される。この場合、制御部４０内の内線終端部４５はSIPプロトコル又はTCP/IPプロトコルを実行することによりその発信要求情報を受信する。そして、その子ＩＰ電話機５Ａ１のローカルＩＰアドレス「XXXY」及び内線番号「201」を含む発信要求情報を第１内線制御部４２に通知する。
【００３７】
第１内線制御部４２は、第２内線制御部４４から通知された、ローカルＩＰアドレス「XXXY」及び内線番号「201」を含む発信要求情報を受信すると、変換テーブル４３の設定情報にしたがい、そのローカルＩＰアドレス「XXXY」及び内線番号「201」を、ＩＰアドレス「AAAA」及び内線番号「501」に変換し、その変換情報を含む発信要求情報を第１内線終端部４１に通知する。第１内線終端部４１は、SIPプロトコルを実行することにより、ＩＰアドレス「AAAA」及び内線番号「501」を含む発信要求情報をＩＰセントレックス１側に送信し、ＩＰセントレックス１に対し前記発信要求情報で示される相手端末への発信を行わせる。このような発信に対して相手端末側が応答すると、子ＩＰ電話機５Ａ１と相手端末間で、親ＩＰ電話機４，ＩＰセントレックス１及びＩＰ網を介した通話が開始される。
【００３８】
なお、親ＩＰ電話機４又は子ＩＰ電話機５において内線発信操作が行われた場合も、発信を行ったＩＰ電話機のローカルＩＰアドレス及び内線番号が、同様に変換テーブル４３の設定情報をもとに、ＩＰセントレックス１に設定されているＩＰアドレス及び内線番号に変換されて、発信要求情報とともにＩＰセントレックス１側に通知される。この場合、内線発信を行った、親ＩＰ電話機４又は子ＩＰ電話機５と相手端末間では、ＩＰ網を介さない通話（内線通話）が行われる。
【００３９】
このように、本システムは、ＩＰセントレックス１の配下として、親ＩＰ電話機４を接続し、かつ親ＩＰ電話機４の配下として、複数の子ＩＰ電話機５Ａ１〜５Ａｎを接続するとともに、親ＩＰ電話機４に変換テーブル４３を設け、この変換テーブル４３に、ＩＰセントレックス１の配下の内線（第１内線）としての内線番号及びＩＰアドレスに対応して、親ＩＰ電話機４を含む複数の子ＩＰ電話機５Ａ１〜５Ａｎの各内線番号及びローカルＩＰアドレスを、この親ＩＰ電話機４の配下の内線（第２内線）を識別する識別情報として設定するように構成することにより、親ＩＰ電話機４に、ＩＰセントレックス１から提供されるサービスの終端機能と、親ＩＰ電話機４を含めた子ＩＰ電話機５Ａ１〜５Ａｎ対するサービスの提供機能とを持たせるようにしたものである。これにより、親ＩＰ電話機４では、ＩＰセントレックス１側から提供されるサービスを的確にＩＰ電話機側に提供することができる。すなわち、親ＩＰ電話機４ではＩＰセントレックス１側からＩＰ電話機側へ、サービス情報である着信が通知された場合でも、変換テーブル４３の設定情報による変換によって的確に所望のＩＰ電話機に着信サービスを提供できるとともに、ＩＰ電話機側からセントレックス１側へサービス要求情報である発信要求情報を通知する場合においても変換テーブル４３の設定情報による変換によってＩＰセントレックス１側へ的確にその発信要求情報を伝達し、発信サービスを受けることができる。
【００４０】
また、変換テーブル４３に情報を設定する場合、ユーザにより設定できるようにしたことから、例えばＩＰセントレックス１にＩＰ電話機を増設するようなシステムの変更が生じた場合でも、サービス業者を煩わすことなく、ユーザ側で自在にそのシステム変更に応じた設定を行うことができる。
【００４１】
なお、本実施の形態では、ＩＰセントレックス１の配下として親ＩＰ電話機４を接続し、さらに親ＩＰ電話機４の配下として複数の子ＩＰ電話機５Ａ１〜５Ａｎを接続するようにしているが、ＩＰセントレックス１の配下として第１の親ＩＰ電話機を接続し、さらにその第１の親ＩＰ電話機の配下として第２の親ＩＰ電話機を接続し、この第２の親ＩＰ電話機４の配下として、複数の子ＩＰ電話機を接続するように構成しても良い。
【００４２】
また、例えば会社内の営業グループ、スタッフグループ、及び開発グループごとにそれぞれ親ＩＰ電話機を配置して、各親ＩＰ電話機にそれぞれ複数の子ＩＰ電話機を接続し、グループ員に不在が多い営業グループに対応する親ＩＰ電話機４に対しては、子ＩＰ電話機５として、転送電話やボイスメール装置を配置するように構成すれば、各グループごとの特徴を反映したシステムを構築できる。
【図面の簡単な説明】
【００４３】
【図１】本発明の親子ＩＰ電話装置を適用したシステムの構成を示す図である。
【図２】上記親子ＩＰ電話装置を構成する親ＩＰ電話機の構成を模式的に示す図である。
【図３】上記親ＩＰ電話機に設けられた変換テーブルの設定状況を示す図である。
【図４】上記親ＩＰ電話機の要部構成を示すブロック図である。
【図５】従来システムの構成を示す図である。
【符号の説明】
【００４４】
１…ＩＰセントレックス、２…ハブ、４，４Ａ，４Ｂ…親ＩＰ電話機、５，５Ａ１５Ａｎ…子ＩＰ電話機、４０…制御部、４１…第１内線終端部、４２…第１内線制御部、４３…第１・第２内線変換テーブル、４４…第２内線制御部、４５…第２内線終端部、４６…設定部、４７…ユーザインタフェース、４８…コーディック、４９…キー、５０…ＬＣＤ、５１…ＬＥＤ、５２…マイク、５３…スピーカ、５４…ハンドセット。
【図１】
2006287540.tif 000003
【図２】
2006287540.tif 000004
【図３】
2006287540.tif 000005
【図４】
2006287540.tif 000006
【図５】
2006287540.tif 000007